(57)【要約】      （修正有）【課題】一般的なピアスと同等の外観を持たせ、おしゃれで、かつ、軽量で装着感のよい耳装飾具を提供する。【解決手段】装身具用鎖２０を備えた、耳たぶに装着される弾性撓み変形容易な耳装飾具１であって、互いに空隙を置いて対向する一対の耳たぶ挟持部１１、１２と、一対の耳たぶ挟持部を連結して延設された環状部１３とを有し、一対の耳たぶ挟持部は少なくとも一方に棒状突出部１４を備え、棒状突出部の先端が装身具用鎖の端環２０１に嵌め込まれている。【選択図】図１
0003209063.tif 000002
【実用新案登録請求の範囲】
【請求項１】
装身具用鎖を備えた、耳たぶに装着される弾性撓み変形容易な耳装飾具であって、
互いに空隙を置いて対向する一対の耳たぶ挟持部と、該一対の耳たぶ挟持部を連結して延設された環状部とを有し、
前記一対の耳たぶ挟持部は少なくとも一方に棒状突出部を備え、該棒状突出部の先端が前記装身具用鎖の端環に嵌め込まれていることを特徴とする耳装飾具。
【請求項２】
前記棒状突出部の先端と前記装身具用鎖の端環とは接着剤で接着されることを特徴とする請求項１に記載の耳装飾具。
【請求項３】
前記棒状突出部の先端と前記装身具用鎖の端環とはかしめて固定されることを特徴とする請求項１に記載の耳装飾具。
【考案の詳細な説明】
【技術分野】
【０００１】
本考案は、耳たぶに装着する耳装飾具に関する。
【背景技術】
【０００２】
耳装飾具は、一般にピアスのように耳たぶに孔を開けて通すタイプのものと、金具で耳たぶを挟んで保持するイヤリングタイプのものが広く用いられている。ピアスは、デザインのバリエーションも多く、イヤリングと比較して構造が単純であるという利点を有する一方、耳にピアス穴を開ける必要があり、ピアス穴を常に清潔な状態に保持する必要があり、細菌感染、炎症等のトラブルの要因にもなりうる。また、金属アレルギーの人や、ピアスを開ける勇気がない、校則で禁止されている、開けた後の処理が面倒くさい、などの理由でピアスホールを開けていない人にとっては、ピアスのデザインのバリエーションの恩恵を受けることができないという問題がある。
【０００３】
他方、金具で耳たぶを挟むタイプのイヤリングは、耳たぶに孔を開ける必要がなく、誰でも手軽に使用できる利点があるが、装着時に螺子の締め付け等が必要であり、装着作業が非常に煩わしいという不具合を有していた。このような不具合を解決するために、図６に示すような耳装飾具３が流通している。図６に示すとおり、耳装飾具３は、半透明の合成樹脂からなり、互いに空隙３９を置いて対向する一対の耳たぶ挟持部３１、３２と、一対の耳たぶ挟持部３１、３２を連結して延設されたリング部３３とを有し、耳たぶ挟持部３１、３２には、それぞれ棒状突出部３４、３５が設けられている。棒状突出部３４の突端に球状の鎖留め部３４０を備え、鎖留め部３４０の下端にフック３４１があって鎖３００を吊り下げることができる構造となっている。図７に示すように、耳装飾具３を耳たぶに装着すると、棒状突出部３４、３５が耳たぶを貫通しているかのように、一般的なピアスと同等の外観を持たせることを目的としている。
【考案の開示】
【考案が解決しようとする課題】
【０００４】
しかしながら、上述の耳装飾具３のような構造では、一般的なピアスと同等の外観を持たせることには無理がある。そこで、本考案の解決する課題は、一般的なピアスと同等の外観を持たせ、おしゃれで、かつ、軽量で装着感のよい耳装飾具を提供することにある。
【課題を解決するための手段】
【０００５】
上記課題を解決するために、本考案に係る耳装飾具は、装身具用鎖を備えた、耳たぶに装着される弾性撓み変形容易な耳装飾具であって、互いに空隙を置いて対向する一対の耳たぶ挟持部と、該一対の耳たぶ挟持部を連結して延設された環状部とを有し、一対の耳たぶ挟持部は少なくとも一方に棒状突出部を備え、該棒状突出部の先端が装身具用鎖の端環に嵌め込まれていることを特徴とする。
【０００６】
なお、棒状突出部の先端と装身具用鎖の端環とは接着剤で接着されてもよいし、かしめて固定されてもよい。
【考案の効果】
【０００７】
本考案に係る耳装着具は、一般的なピアスと同等の外観を持たせ、おしゃれで、かつ、軽量で装着感に優れている。
【０００８】
また、耳たぶ挟持部、リング部、棒状突出部を合成樹脂で形成すれば、装着者が金属アレルギーを持つ場合であっても、アレルギー反応が発生しないため、安全性が高い。
【図面の簡単な説明】
【０００９】
【図１】本考案に係る耳装飾具の正面図である。
【図２】本考案に係る耳装飾具の変形例を示す図である。
【図３】本考案に係る耳装飾具の棒状突出部の先端が装身具用鎖の端環に嵌め込まれ接着された状態を示す拡大図である。
【図４】本考案に係る耳装飾具を使用者が耳たぶに装着する様子を示す図である。
【図５】本考案に係る耳装飾具を使用者が装着した状態を示す図である。
【図６】従来の耳装飾具の正面図である。
【図７】従来の耳装飾具を使用者が装着した状態を示す図である。
【考案を実施するための形態】
【００１０】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１１】
実施例１を図面を参照して詳細に説明する。図１は、本考案に係る耳装飾具の正面図である。図２は、本考案に係る耳装飾具の変形例を示す図である。図３は、本考案に係る耳装飾具の棒状突出部の先端が装身具用鎖の端環に嵌め込まれ接着された状態を示す拡大図である。図４は、本考案に係る耳装飾具を使用者が耳たぶに装着する様子を示す図である。図５は、本考案に係る耳装飾具を使用者が装着した状態を示す図である。
【００１２】
図１を参照する。図１に示すとおり、本考案に係る耳装飾具１は、装身具用鎖２０を備えた、耳たぶに装着される弾性撓み変形容易な耳装飾具１であって、互いに空隙を置いて対向する一対の耳たぶ挟持部１１、１２と、該一対の耳たぶ挟持部１１、１２を連結して延設された環状部１３とを有する。また、一対の耳たぶ挟持部１１、１２は棒状突出部１４、１５を備えている。なお、一対の耳たぶ挟持部１１、１２のうち、いずれかに棒状突出部を備えていればよい。
【００１３】
棒状突出部１４の先端１４０が装身具用鎖２０の端環２０１に嵌め込まれている。後述するように、棒状突出部１４の先端１４０と装身具用鎖２０の端環２０１とは接着剤Ｇで接着されてもよいし、かしめて固定されてもよい。
【００１４】
本実施例においては、環状部１３は略１ｍｍの透明な可撓性を有するシリコン樹脂の線材からなり、径寸法は略６ｍｍに形成されている。また、耳たぶ狭持部１１、１２は棒状に形成され、それぞれ環状部１３の径方向外方に向かって突出して配置され、基端側で環状部１３が延設されている。さらに、棒状突出部１４は一方の耳たぶ挟持部１１の先端側で耳たぶ挟持部１１に直交して配設されている。
【００１５】
図２を参照する。図２（ａ）は、本考案に係る耳装飾具１の変形例１Ａ、図２（ｂ）は、変形例１Ｂを示す図である。図２（ａ）に示すとおり、本考案に係る耳装飾具１Ａは、耳装飾具１とほとんど構成が同じであるが、一対の耳たぶ挟持部１１、１２のうち、耳たぶ挟持部１１に棒状突出部１４、耳たぶ挟持部１２に球状部１６を備えているところが相違する。また、図２（ｂ）に示すとおり、本考案に係る耳装飾具１Ｂは、耳装飾具１とほとんど構成が同じであるが、一対の耳たぶ挟持部１１、１２は棒状突出部１４、１５を備え、棒状突出部１４の先端１４０が装身具用鎖２０の端環２０１に、棒状突出部１５の先端が装身具用鎖２１の端環２１１に、それぞれ嵌め込まれているところが相違する。なお、装身具用鎖２０、２１の鎖の長さは適宜変えることができ、例えば両者を同じ長さとしてもよいし、一方の鎖を長く、他方の鎖を短く調整してもよい。
【００１６】
図３を参照する。図３に示すとおり、棒状突出部１４の先端１４０は、接着剤Ｇ（斜線で示している）を介して、装身具用鎖２０の端環２０１に嵌合して固定されている。接着剤Ｇを介して取り付けられているため、取り付け作業が容易であると同時に、接着剤Ｇによる接着力によって、装身具用鎖２０が落下し難い。なお、接着剤Ｇは乾燥時に透明となるものであれば特に種類は問わないが、本実施例にあっては、レジン等の樹脂製の接着剤Ｇを使用している。また、棒状突出部１４の先端１４０を装身具用鎖２０の端環２０１に嵌合した後に、嵌合部分を金属治具でかしめて固定してもよい。
【００１７】
図４を参照する。図４に示すように、本実施例に係る耳装飾具１を耳に装着する場合は、環状部１３を指で把持し、耳たぶ挟持部１１、１２間の空隙を拡開し、空隙に耳たぶＥＬを挿入して、弾性撓み変形容易な耳たぶ挟持部１１、１２の付勢力によって耳たぶＥＬを挟持する。なお、耳たぶ挟持部１１、１２を、耳たぶＥＬの一番薄いところから差し込み、耳たぶＥＬの下までスライドさせると耳装飾具１を耳にスムーズに装着することができる。
【００１８】
図５を参照する。図５に示すとおり、本実施例にあっては、耳たぶ挟持部１１、１２及び環状部が透明なシリコン樹脂から形成されていることから、装着時にこれらが見えにくいため、装身具用鎖２０の先端と耳たぶが当接しているように視認されるため、ピアスと同様の外観を得ることができる。
【産業上の利用可能性】
【００１９】
本考案は、耳たぶに装着する耳装飾具に適用することが可能である。
【符号の説明】
【００２０】
１  １Ａ  １Ｂ  耳装飾具
１１  １２  耳たぶ狭持部
１３  環状部
１４  １５  棒状突出部
１４０  棒状突出部の先端
２０  ２１  装身具用鎖
２０１  ２１１  端環
Ｇ  接着剤
ＥＬ  耳たぶ
【図１】
0003209063.tif 000003
【図２】
0003209063.tif 000004
【図３】
0003209063.tif 000005
【図４】
0003209063.tif 000006
【図５】
0003209063.tif 000007
【図６】
0003209063.tif 000008
【図７】
0003209063.tif 000009